(57)【要約】      （修正有）【課題】インターロック式伸縮ロッド護身用スプレー装置を提供する。【解決手段】第一管体と、蓋部２０ａと、圧縮弾性部材と、第二管体とを備える。第一管体は刺激性ガスボンベを収容するための収容室を有し、第一管体の末端部の端面には小径孔が形成される。蓋部２０ａは収容室に冠着され、貫通孔を有し、刺激性ガスボンベの下押しリング部と階段状の貫通孔との間には圧縮弾性部材が設置される。第二管体のロッド本体部は上管と、下管と、上管及び下管に連結される伸縮ロッドコンプレッションナットとを含み、伸縮ロッドコンプレッションナットは上連接部及び下連接部を有し、二端は上連接部及び下連接部の偏心軸、及び偏心軸に環装されるコンプレッションリングにそれぞれ枢接され、上管にはプッシュ構成が設置され、下管には被覆構造が設置される。【選択図】図７
0003203573.tif 000002
【実用新案登録請求の範囲】
【請求項１】
互いにロックされる伸縮ロッドがロックを解除された後、前記伸縮ロッドに内設される刺激性ガスボンベの内容物が噴射され、前記刺激性ガスボンベの上部には突出される出力管を有し、前記出力管の外囲には下押しリング部を有し、外力を受けた後に前記出力管から前記内容物が噴射されるインターロック式伸縮ロッド護身用スプレー装置であって、
前記護身用スプレー装置は、
先端部及び末端部を有し、前記先端部の管内空間には大きな直径の収容室を有し、前記収容室の端面には開口部を有し、前記刺激性ガスボンベが前記開口部から前記収容室に収容され、前記末端部の端面の開口部には内縁部を有し、小径孔が形成される第一管体と、
前記収容室の開口部に緊密に冠着され、前記収容室に対向する一面の中心に凹部を有し、前記凹部の中心には貫通孔を有し、前記刺激性ガスボンベの前記下押しリング部は前記凹部に対応させ、且つ前記出力管は前記貫通孔に位置が合わせられる蓋部と、
前記凹部と前記刺激性ガスボンベの上部との間に当接されるように設置される圧縮弾性部材と、
上管、下管、及び前記上管及び前記下管に連結される伸縮ロッドコンプレッションナットで構成されるロッド本体部を有し、前記第一管体の前記先端部から挿入され、前記下管を前記第一管体の前記末端部から露出させ、且つ前記小径孔の前記内縁部により前記上管及び前記伸縮ロッドコンプレッションナットが前記第一管体の内部に位置を限定され、前記伸縮ロッドコンプレッションナットは前記上管に固着される上連接部と、前記下管に固着されると共に直径が前記小径孔より大きい下連接部と、二端が前記上連接部及び前記下連接部にそれぞれ固着される偏心軸と、前記偏心軸に環装されると共に前記第一管体の内壁に接触されるコンプレッションリングとを有し、前記コンプレッションリングは前記偏心軸に対応させる偏心孔を有し、且つ前記偏心孔は切欠き部を具備し、前記偏心孔は前記切欠き部により前記偏心軸に環装され、前記伸縮ロッドコンプレッションナットの前記下連接部は前記下管の回転を受けて同期して回転を行う駆動レバーを有し、前記コンプレッションリングには前記駆動レバーの回転経路に対応させるロックストッパー構造が形成され、前記偏心軸が前記駆動レバーと同期されて回転を行うと、偏心の前記コンプレッションリングが径方向に外側に向けて偏移され、同時に前記駆動レバーにより前記ロックストッパー構造が押動され、外側に向けて偏移される前記コンプレッションリングが前記第一管体の内壁に単点ロックされ、或いは前記下管が逆回転されて前記駆動レバーにより前記駆動レバーの押動による推進力が解除された後、外側に向けて偏移される前記コンプレッションリングが前記第一管体の軸心に戻ることで前記第一管体が解放され、前記上管の前記上連接部から離れる一端にはプッシュ構成を有し、前記下管の前記下連接部から離れる一端には被覆構造が固着される第二管体と、を備え、
前記伸縮ロッドコンプレッションナットが前記第一管体を解放させた後、前記第二管体を把持させる前記被覆構造が前記第一管体に向けて押動され、前記プッシュ構成が前記刺激性ガスボンベの底部に当接され、前記下押しリング部が圧迫されて前記内容物が噴射されることを特徴とする、インターロック式伸縮ロッド護身用スプレー装置。
【請求項２】
前記蓋部の前記収容室に背向する一面に前記貫通孔に嵌合される栓を更に備えることを特徴とする、請求項１に記載のインターロック式伸縮ロッド護身用スプレー装置。
【請求項３】
前記プッシュ構成は前記上管の前記上連接部から離れる一端の端面であることを特徴とする、請求項１に記載のインターロック式伸縮ロッド護身用スプレー装置。
【請求項４】
前記上管の前記上連接部から離れる一端の端面には孔部を有し、前記上管の前記プッシュ構成は前記上管に内設され、プッシュロッドを有する凸型部材と、圧縮ばねと、固着部材と、を順に備え、前記固着部材は前記上管の内壁に螺合され、前記凸型部材は前記圧縮ばねによる押動を受けて前記プッシュロッドが前記孔部の外に穿通され、且つ前記圧縮ばねが圧力を受けた後に短縮される行程の長さは前記プッシュロッドが前記孔部から穿通される長さより短く、前記第一管体及び前記第二管体が互いにロックされる状態において、前記凸型部材のプッシュロッドが前記刺激性ガスボンベの底部に当接されることを特徴とする、請求項１に記載のインターロック式伸縮ロッド護身用スプレー装置。
【請求項５】
中棒と、石突と、手元と、上ロクロと、親骨と、傘布と、複数のティップと、下ロクロと、前記下ロクロに係合されるか係合が解除される延長形下玉留と、を含む雨傘キットを更に備え、前記中棒は前記第一管体及び前記第二管体で構成される棒体であり、前記石突は前記第一管体の前記蓋部に設置され、前記手元は前記第二管体の前記被覆構造に設置され、前記上ロクロは前記第一管体の前記先端部に覆設され、前記延長形下玉留は前記第二管体の前記下管に設置され、前記下ロクロは前記上ロクロと前記延長形下玉留との間に被装され、且つ前記第一管体及び前記第二管体の前記下管の外囲の表面で軸方向に滑動され、前記上ロクロと前記下ロクロと間には前記親骨が連結され、前記傘布及びこれら前記ティップは前記親骨に設置され、前記下ロクロが前記上ロクロの一側まで移動されると前記傘布が開かれ、前記下ロクロが前記延長形下玉留まで移動されると、前記下ロクロに周設される複数のバックル穴に前記延長形下玉留が係入されて前記傘布が折り畳まれ、且つ前記延長形下玉留の下押しボタンとフック部との間の距離は前記刺激性ガスボンベの内容物が噴射されて前記第二管体により前記第一管体が押動される押動距離より短くないことを特徴とする、請求項１に記載のインターロック式伸縮ロッド護身用スプレー装置。
【請求項６】
中棒と、石突と、手元と、上ロクロと、親骨と、傘布と、複数のティップと、下ロクロと、前記下ロクロに係合されるか係合が解除される上玉留と、を含む雨傘キットを更に備え、前記中棒は前記第二管体及び前記第一管体で構成される前後逆さになる棒体であり、且つ前記第二管体の前記下管は前記第一管体の直径よりも相当に拡大される管体を具備し、前記石突は前記第二管体の前記被覆構造に設置され、前記手元は前記第一管体の前記先端部に設置され、前記上ロクロは前記第二管体の前記被覆構造に覆設され、前記下ロクロは前記第一管体に覆設され、且つ前記第二管体の前記下管及び前記拡大される管体の外囲まで滑動され、前記上玉留は前記上ロクロと前記下ロクロとの間の前記下管の前記拡大される管体に設置され、前記上ロクロと前記下ロクロとの間には前記親骨が連結され、前記傘布及びこれら前記ティップは前記親骨に設置され、前記下ロクロが前記上玉留まで移動されると、前記下ロクロに周設される複数のバックル穴に前記上玉留が係入されて前記傘布が開かれ、前記下ロクロが前記第一管体まで移動されると前記傘布が折り畳まれることを特徴とする、請求項１に記載のインターロック式伸縮ロッド護身用スプレー装置。
【請求項７】
中棒と、石突と、手元と、上ロクロと、親骨と、傘布と、複数のティップと、下ロクロと、前記下ロクロにロックされるかロックが解除される下部ランナーロック構成と、を含む雨傘キットを更に備え、前記中棒は前記第一管体及び前記第二管体で構成される棒体であり、前記石突は前記第一管体の前記蓋部に設置され、前記手元は前記第二管体の前記被覆構造に設置され、前記上ロクロは前記第一管体の前記先端部に設置され、前記下ロクロは前記上ロクロの前記被覆構造に対向する一側の前記第一管体及び前記下管の外囲に設置されると共に前記第一管体及び前記第二管体の前記下管の外囲の表面で軸方向に滑動され、前記下部ランナーロック構成は前記中棒に嵌入されると共に前記下ロクロに包接されて自由回転を行う螺旋式ロック部材を備え、且つ前記螺旋式ロック部材の内面には雌ねじ、及び前記第一管体の表面に設置されると共に前記螺旋式ロック部材に対応させる雄ねじが設置され、前記上ロクロと前記下ロクロとの間には前記親骨が連結され、前記傘布及びこれら前記ティップは前記親骨に設置され、前記下ロクロが前記第一管体の表面まで移動されて前記雄ねじにロックされると前記傘布が開かれ、前記下ロクロが前記雄ねじの前記被覆構造に対向する一側まで移動されると前記傘布が折り畳まれることを特徴とする、請求項１に記載のインターロック式伸縮ロッド護身用スプレー装置。
【請求項８】
継手被覆カバー及び杖のハンドルを含む杖キットを更に備え、前記継手被覆カバーは前記第一管体及び前記第二管体の下管の連結領域の表面を被覆させ、前記下管の前記被覆構造は前記杖のハンドルであることを特徴とする、請求項１に記載のインターロック式伸縮ロッド護身用スプレー装置。
【請求項９】
前記下管の前記継手被覆カバーの端面に対応させる箇所にはボルト孔が設けられ、ボルトを含む位置決め用ボルトキットを更に備え、抜脱されて径方向に前記下管の管体に挿設され、且つ前記継手被覆カバーの端面に係止され、前記ボルトの末端は径方向に突出されるばねボールを有し、前記ボルトの先端部には枢孔が設けられ、且つ前記枢孔にはＵ形活動クランプリングが枢接され、前記Ｕ形活動クランプリングは前記ボルトの抜出に用いられると共に、前記継手被覆カバーの外径を挟持させることを特徴とする、請求項８に記載のインターロック式伸縮ロッド護身用スプレー装置。
【請求項１０】
前記被覆構造に内設される電池ケースと、前記電池ケースに設置される電池と、前記電池に電気的に接続される昇圧回路と、前記被覆構造の端面に設置されると共に前記昇圧回路に電気的に接続される一対の電極針と、前記一対の電極針に対応させると共に電気的に接続され、前記被覆構造の表面に設置される複数の電極板と、前記被覆構造の端面に冠着されて前記一対の電極針及び対応させる電極板を遮蔽させる保護用カバーと、前記下管の管体の表面の陥没領域に設置されると共に前記下管の管体の表面を超過させず、且つ前記電池に電気的に接続され、導通されることで前記一対の電極針及びこれら前記電極板が電撃を発生させる回路スイッチと、を含む電極棒キットを更に備えることを特徴とする、請求項１に記載のインターロック式伸縮ロッド護身用スプレー装置。
【請求項１１】
前記回路スイッチが収容される凹溝は前記下管の中心軸方向に垂直になる溝孔であり、前記回路スイッチは下押し式ボタン及びスライド式ロック構成を備え、前記スライド式ロック構成は前記凹溝に沿って移動され、その一端にはフォーク部を有し、前記スライド式ロック構成が移動されることで前記フォーク部が前記下押し式ボタンの下押し経路に当接されるか、あるいは前記下押し経路から抜出されることを特徴とする、請求項１０に記載のインターロック式伸縮ロッド護身用スプレー装置。
【考案の詳細な説明】
【技術分野】
【０００１】
本考案は、少なくとも二段階式で相互に圧迫させることで刺激性ガスボンベの内容物を噴射させ、相互に定位されてロックされることでロッド部材としての機能を有する護身用スプレー装置に関する。
【背景技術】
【０００２】
従来の傘具は、棍棒あるいは杖として携帯に便利で護身用にもなる。但し、突然暴漢が武器を持って近付いて攻撃してくると、激しい殴打の応酬の後に、暴漢が持っている武器での攻撃により生命が危険にさらされ、死傷する恐れがある。
【０００３】
また、先行する従来のガスガンや催涙スプレー等の器具では、暴漢が近付く前に３〜４メートルの距離から高圧の催涙スプレーを噴射できる。
【考案の概要】
【考案が解決しようとする課題】
【０００４】
しかしながら、前述した従来の護身技術では、即ち、その機能あるいは溶剤の量が数秒分しかなく、暴漢の顔に刺激性ガスや液体を噴射させて視力を奪うが、もし暴漢が目を閉じて口や鼻を塞ぎ、狂ったように武器を振り回した場合、ガスガンや催涙スプレーでは抵抗できない。催涙スプレー缶は携帯しやすいように小さく少量になっており、その刺激性スプレー缶の溶剤の量では噴出可能回数に制限があり、数回噴出させた後にも尚危険が去らない場合、傘具等の持ち物を使用して護身のために抵抗しなければならない。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の目的は、インターロック式伸縮ロッド護身用スプレー装置を提供することにある。二段式の第一管体及び第二管体の間の伸縮ロッドコンプレッションナットにより、２つの管体の相対的な定位でのロック及びロックの解除を行い、２つの管体の相対的な位置でのロック形態においてロッドとしての付加機能、及び２つの管体の相対的な位置でのロックが解除された形態において、圧迫により刺激性ガスボンベが噴射される機能が結合される複合機能の護身用スプレー装置である。
【課題を解決するための手段】
【０００７】
上述した課題を解決し、目的を達成するために、本考案に係るインターロック式伸縮ロッド護身用スプレー装置は、互いにロックされる伸縮ロッドがロックを解除された後、前記伸縮ロッドに内設される刺激性ガスボンベの内容物が噴射され、前記刺激性ガスボンベの上部には突出される出力管を有し、前記出力管の外囲には下押しリング部を有し、外力を受けた後に前記出力管から前記内容物が噴射される。
護身用スプレー装置は、
先端部及び末端部を有し、前記先端部の管内空間には大きな直径の収容室を有し、前記収容室の端面には開口部を有し、前記刺激性ガスボンベが前記開口部から前記収容室に収容され、前記末端部の端面の開口部には内縁部を有し、小径孔が形成される第一管体と、
前記収容室の開口部に緊密に冠着され、前記収容室に対向する一面の中心に凹部を有し、前記凹部の中心には貫通孔を有し、前記刺激性ガスボンベの前記下押しリング部は前記凹部に対応させ、且つ前記出力管は前記貫通孔に位置が合わせられる蓋部と、
前記凹部と前記刺激性ガスボンベの上部との間に当接されるように設置される圧縮弾性部材と、
上管、下管、及び前記上管及び前記下管に連結される伸縮ロッドコンプレッションナットで構成されるロッド本体部を有し、前記第一管体の前記先端部から挿入され、前記下管を前記第一管体の前記末端部から露出させ、且つ前記小径孔の前記内縁部により前記上管及び前記伸縮ロッドコンプレッションナットが前記第一管体の内部に位置を限定され、前記伸縮ロッドコンプレッションナットは前記上管に固着される上連接部と、前記下管に固着されると共に直径が前記小径孔より大きい下連接部と、二端が前記上連接部及び前記下連接部にそれぞれ固着される偏心軸と、前記偏心軸に環装されると共に前記第一管体の内壁に接触されるコンプレッションリングとを有し、前記コンプレッションリングは前記偏心軸に対応させる偏心孔を有し、且つ前記偏心孔は切欠き部を具備し、前記偏心孔は前記切欠き部により前記偏心軸に環装され、前記伸縮ロッドコンプレッションナットの前記下連接部は前記下管の回転を受けて同期して回転を行う駆動レバーを有し、前記コンプレッションリングには前記駆動レバーの回転経路に対応させるロックストッパー構造が形成され、前記偏心軸が前記駆動レバーと同期されて回転を行うと、前記偏心のコンプレッションリングが径方向に外に向けて偏移され、同時に前記駆動レバーにより前記ロックストッパー構造が押動され、前記外側に向けて偏移されるコンプレッションリングが前記第一管体の内壁に単点ロックされ、或いは前記下管が逆回転されて前記駆動レバーにより前記駆動レバーの押動による推進力が解除された後、前記外側に向けて偏移されるコンプレッションリングが前記第一管体の軸心に戻ることで前記第一管体が解放され、前記上管の前記上連接部から離れる一端にはプッシュ構成を有し、前記下管の前記下連接部から離れる一端には被覆構造が固着される第二管体と、を備え、
前記伸縮ロッドコンプレッションナットが前記第一管体を解放させた後、前記第二管体を把持させる前記被覆構造が前記第一管体に向けて押動され、前記プッシュ構成が前記刺激性ガスボンベの前記ガスボンベの底部に当接され、前記下押しリング部が圧迫されて前記内容物が噴射されることを特徴とする。
【考案の効果】
【０００８】
本考案は催涙スプレー缶とロッド型の傘具、棍棒、或いは杖の二者とが一つになり、先に刺激性ガスを噴射させ、傘具或いは杖等のロッド型部材により暴漢の攻撃を抑えることで、護身効果を高める。また、山岳地帯や無人地域を歩行中に逆風が吹いている状態で暴漢や野犬、毒蛇等の猛獣に襲われた場合、催涙スプレーを噴射させると自分に降りかかる場合があるため、本考案の杖を有するロッド型構造では、最初に杖として使用して暴漢の攻撃を防御し、或いは毒蛇等の猛獣を遠のけ、風上に移動してから刺激性ガスボンベを相手に向けて噴射させることができ、二重の保護効果を有する。さらには、本考案はロッド型部材が形成されると、前記ロッド型部材本体も護身機能を具備するようになり、例えば棍棒、傘、杖等の打撃用の棒になり、傘布が開かれると暴漢或いは毒蛇等の猛獣の視線を眩ませ、暴漢が撒き付ける危険な液体を防ぐことができる。なお、本考案は一般的な棒形状の用具や日常生活において携帯する用具（雨傘、杖、短い棒、懐中電灯、ゴルフクラブ等の用具）に偽装できるため、多種類の護身機能が一つになった先進的な装置といえる。
【図面の簡単な説明】
【０００９】
【図１】本考案の第１実施形態に係るインターロック式伸縮ロッド護身用スプレー装置を説明する断面模式図である。
【図２】図１に示す展開図である。
【図３】本考案の第１実施形態に係るインターロック式伸縮ロッド護身用スプレー装置の伸縮ロッドコンプレッションナットを説明する展開図である。
【図４】本考案の第１実施形態に係るインターロック式伸縮ロッド護身用スプレー装置の伸縮ロッドコンプレッションナットを説明する組み合わせ図である。
【図５】本考案の第１実施形態に係るインターロック式伸縮ロッド護身用スプレー装置の傘形護身用スプレー装置を説明する断面模式図である。
【図６】図５に示す複数バックル穴の下部ランナーが延長形下玉留に係合される外観斜視図である。
【図７】図５に示す傘が開傘状態を呈する外観斜視図である。
【図８】本考案の他の実施形態に係る傘形護身用スプレー装置を説明する断面模式図である。
【図９】本考案のさらなる他の実施形態に係る傘形護身用スプレー装置を説明する断面模式図である。
【図１０】図９に示す傘が開傘状態を呈する外観斜視図である。
【図１１】本考案の実施形態に係るインターロック式伸縮ロッド護身用スプレー装置の傘形護身用スプレー装置の使用機能を示す概念図である。
【図１２】本考案の実施形態に係るインターロック式伸縮ロッド護身用スプレー装置の杖形護身用スプレー装置を説明する断面模式図である。
【図１３】図１２に示す実施形態の外観斜視図である。
【図１４】図１３に示す杖の位置決め用ボルトキットである。
【図１５】本考案の実施形態に係るインターロック式伸縮ロッド護身用スプレー装置の杖形護身用スプレー装置の使用機能を示す概念図である。
【図１６】本考案の実施形態に係るインターロック式伸縮ロッド護身用スプレー装置のスタンガン形護身用スプレー装置を説明する断面模式図である。
【図１７】図１６に示す実施形態の外観斜視図である。
【図１８】図１７に示すスタンスイッチ構成を示す部分の拡大の概念図である。
【図１９】本考案のスタンガン形護身用スプレー装置の使用機能を示す概念図である。
【図２０】本考案のスタンガン形護身用スプレー装置のスタンガンの使用機能を示す概念図である。
【図２１】本考案の実施形態に係るインターロック式伸縮ロッド護身用スプレー装置のゴルフクラブ形護身用スプレー装置の使用機能を示す概念図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。さらに、これら前記の図中には本考案に関係する部材のみを図示し、図示する部材は実施においての数量、形状、サイズの比率等を図中のものに制限させるわけではなく、実際の実施においての規格やサイズは任意で設計でき、且つ部材の配置形態はより複雑でもよい。
【００１１】
（第１実施形態）
本考案の実施形態に係るインターロック式伸縮ロッド護身用スプレー装置１（すなわち、自己防衛用噴霧装置。図１、図２及び図３参照）は、前記伸縮ロッドの軸方向に対する移動のロックが解除されると、一本二段式の護身ロッド（その管体が短縮される場合、上管４１１が短縮されるか省略される）になった後に携帯用護身短棍棒となる。また、前記伸縮ロッドのロックが解除された後、前記装置に内設される刺激性ガスボンベＡの内容物Ａ３が噴射される。前記刺激性ガスボンベＡの上部には突出される出力管Ａ１を有し、前記出力管Ａ１の外囲には下押しリング部Ａ２を有し、前記下押しリング部Ａ２が外力により押圧された後に前記出力管Ａ１から軸方向に外に向けて前記内容物Ａ３が噴射される。なお、前記刺激性ガスボンベＡは、高い圧力に耐えられ、ガスボンベの底部Ａ５にはほぼ陥没形状が形成される。
【００１２】
前記護身用スプレー装置１は、第一管体１０と、蓋部２０と、圧縮弾性部材３０と、第二管体４０と、を備える。前記第一管体１０は先端部１１及び末端部１２を有し、前記先端部１１の直径が大きい管内空間には収容室１１１を具備し、前記収容室１１１の端面には開口部１１２を有し、前記刺激性ガスボンベＡが前記収容室１１１に収容され、前記末端部１２の端面の開口部には内縁部１２２を有し、小径孔１２３が形成される。前記蓋部２０は前記収容室１１１の開口部１１２に緊密に冠着され（具体的には、蓋部２０により収容室１１１の開口部１１２が冠着される方式は多くの種類がある。実際には、開口部１１２の端面の外側に外ねじ山が設置され、前記蓋部２０の内縁部に対応する雌ねじが設置され、螺合方式により前記開口部１１２が前記蓋部２０により蓋をされる。あるいは、開口部１１２の端面の外側にＬ形溝が設けられ、前記蓋部２０の内縁部に対応する突端が設置され、蓋部２０が圧接された後に一定の回転角度で回転される方式により、突端がＬ形溝に係入され、前記開口部１１２に冠着される）、前記蓋部２０の前記収容室１１１に対向する一面の中心には凹部２１を有し、前記凹部２１の中心には貫通孔２１１を含み、前記刺激性ガスボンベＡの前記下押しリング部Ａ２は前記凹部２１に対応させ、且つ前記出力管Ａ１は前記貫通孔２１１に位置を合わせられる。前記圧縮弾性部材３０の一端は前記凹部２１に設置され、前記圧縮弾性部材３０の他端は前記刺激性ガスボンベＡのガスボンベの上部Ａ４の間に当接され（前記圧縮弾性部材３０の内径は前記下押しリング部Ａ２の直径より大きく、前記ガスボンベの上部Ａ４及び前記凹部２１の底面が前記圧縮弾性部材３０の弾力により一定の距離開かれることで、前記第一管体１０が上下の揺動或いは振動を受けて（例えば、後述の傘具に応用される実施形態では、雨水を振り落とす中棒の揺動、杖をつく動作等）、前記下押しリング部Ａ２が前記凹部２１の底面に向けて圧迫させることで前記刺激性ガスボンベＡから内容物Ａ３が漏出するのを回避させる）。前記第二管体４０はロッド本体部４１を有し、前記ロッド本体部４１は上管４１１と、下管４１２と、前記上管４１１及び前記下管４１２に連結される伸縮ロッドコンプレッションナット４１３とを備え、前記伸縮ロッドコンプレッションナット４１３は上連接部４１３１と、下連接部４１３２と、偏心軸４１３３と、コンプレッションリング４１３４と、を含む。前記上連接部４１３１は前記上管４１１に固着され、前記下連接部４１３２は前記下管４１２に固着され、且つその直径は前記第一管体１０の末端部１２の前記小径孔１２３より大きく、前記偏心軸４１３３の先端部及び末端部の二端は前記上連接部４１３１及び前記下連接部４１３２にそれぞれ枢接される。前記コンプレッションリング４１３４は前記偏心軸４１３３に環装され、且つ前記偏心軸４１３３の周りで自由回転を行う。前記上管４１１の前記上連接部４１３１から離れる一端にはプッシュ構成４１１１が設置され（前記上管４１１の端面が直接プッシュ構成４１１１となるか、あるいは前記上管４１１の内部に設置される）、前記下管４１２の前記下連接部４１３２から離れる一端には被覆構造４１２１が固着される。前記第二管体４０は前記第一管体１０の先端部１１の開口部１１２から挿入され、且つ前記下管４１２は前記第一管体１０の前記末端部１２から露出され、前記小径孔１２３の前記内縁部１２２により前記上管４１１及び前記伸縮ロッドコンプレッションナット４１３が前記第一管体１０の内部空間に位置を限定される。
【００１３】
図３及び図４に示すように、上述の構造により、使用者が前記第一管体１０及び前記第二管体４０を相互にロックさせて一体式の棒体を形成させる場合、先ず前記第二管体４０の中心軸を回転軸心として、第一方向（例えば正方向、時計回り方向）に沿って前記下管４１２を回転させ、これにより前記コンプレッションリング４１３４が押動されて径方向に偏心軸４１３３から外に向けて偏移されて前記ロッド本体部４１から突出され、対応する前記第一管体１０の内壁面１２１に係合される。反対に、使用者が前記第一管体１０及び前記第二管体４０の相対的な位置での相互のロックを解除する場合、前記第一方向とは反対の方向に沿って（例えば逆方向、反時計回り方向）前記下管４１２を少し回転させると、前記コンプレッションリング４１３４が偏心軸４１３３から外に向けて偏移されて圧迫させなくなり、前記コンプレッションリング４１３４が弛められて対応する前記第一管体１０の内壁面１２１が解放される。
【００１４】
詳しくは、前記偏心軸４１３３の表面から前記第一管体１０の内壁面１２１まで最も遠い一側に広い空間４１３３１が形成され、前記偏心軸４１３３の表面から前記第一管体１０の内壁面１２１まで最も近い一側に狭い空間４１３３２が形成される。前記伸縮ロッドコンプレッションナット４１３の前記下連接部４１３２は前記下管４１２の回転を受けて同期されて回転される駆動レバー４１３２１を有し、前記コンプレッションリング４１３４は高摩擦係数の材質で製造され、その周面は前記第一管体１０の内壁面１２１に接触されて前記偏心軸４１３３が回転を行うと、前記コンプレッションリング４１３４は追随して回転することはなく、相対的に回転を行う。前記コンプレッションリング４１３４は偏心孔４１３４３を有し、前記コンプレッションリング４１３４の外径と前記偏心孔４１３４３との間には切欠き部４１３４１を具備し、前記切欠き部４１３４１により前記偏心孔４１３４３が前記偏心軸４１３３に環装され、これにより前記偏心孔４１３４３から前記コンプレッションリング４１３４の外径まで厚壁部４１３４４及び薄壁部４１３４５が形成され、前記駆動レバー４１３２１の回転経路に対応させる一端にロックストッパー構造４１３４２が形成される。前記下管４１２が回転を行うと、前記偏心軸４１３３及び前記駆動レバー４１３２１が追随して同期しての回転を行い、前記コンプレッションリング４１３４の厚壁部４１３４４が前記狭い空間４１３３２に係入されて前記コンプレッションリング４１３４の厚壁部４１３４４の外側が外に向けて突出されて前記第一管体１０の内壁面１２１に当着される（この際、前記駆動レバー４１３２１が前記ロックストッパー構造４１３４２に当接される）。或いは、下管４１２が反対方向に回転を行うと、連動されて前記コンプレッションリング４１３４の厚壁部４１３４４が前記広い空間４１３３１に係入されて前記コンプレッションリング４１３４の厚壁部４１３４４の外側が内に向けて収縮して係入されて前記第一管体１０の内壁面１２１が解放される（この際、前記駆動レバー４１３２１が離れて前記ロックストッパー構造４１３４２が解放される）。前記伸縮ロッドコンプレッションナット４１３が前記第一管体１０の管壁内壁面１２１を解放させた後、前記第二管体４０の前記被覆構造４１２１が把持されて前記第一管体１０に向けて押動され、前記第二管体４０の前記プッシュ構成４１１１が前記刺激性ガスボンベＡのガスボンベの底部Ａ５に当接され、前記下押しリング部Ａ２が圧迫されて前記内容物Ａ３が噴射される。
【００１５】
ちなみに、本実施形態において、上述の実施形態による前記プッシュ構成４１１１は前記上管４１１の前記上連接部４１３１から離れる一端の端面４１１２であり、その後に前記第二管体４０の端面４１１２が前記刺激性ガスボンベＡのガスボンベの底部Ａ５の陥没箇所に直接当接される。
【００１６】
（他の実施形態）
他の実施形態において、上述の実施形態による前記上管４１１の前記上連接部４１３１から離れる一端の端面４１１２には孔部４１１２１を有し、前記上管４１１の前記プッシュ構成４１１１は前記上管４１１に内設され、プッシュロッド４１１１１０を有する凸型部材４１１１１と、圧縮ばね４１１１２と、固着部材４１１１３とを順に備える。前記固着部材４１１１３はねじ４１１１４により前記上管４１１の内壁に螺合されて圧縮ばね４１１１２が支持され、前記凸型部材４１１１１が前記圧縮ばね４１１１２の押動を受けることで、前記プッシュロッド４１１１１０が前記孔部４１１２１の外に穿通され、且つ前記圧縮ばね４１１１２が圧縮された後に行程の長さが短縮されて前記プッシュロッド４１１１１０が前記孔部４１１２１に穿通される長さより短くなり、圧縮ばね４１１１２により刺激性ガスボンベＡの収容室１１１での上下の振動が減少する。換言すれば、前記第一管体１０と前記第二管体４０との間の位置のロックが解除された後、前記被覆構造４１２１が把持されて前記第一管体１０に向けて押動されると、前記凸型部材４１１１１のプッシュロッド４１１１１０が前記刺激性ガスボンベＡのガスの底部Ａ５に当接された後、前記凸型部材４１１１１が暫定的に押動を停止させ、前記圧縮ばね４１１１２により前記被覆構造４１２１による推進力が吸収され、前記圧縮ばね４１１１２が極限まで短縮されると、プッシュロッド４１１１１０の一部分が端面４１１２から突出される。この際、前記凸型部材４１１１１が継続的に押動されて、前記プッシュロッド４１１１１０（或いは他の実施形態では前記第二管体４０の端面４１１２）が前記刺激性ガスボンベＡのガスの底部Ａ５の陥没箇所に当接され、両者が緊密に接合され、最大の推進力が伝達される。前記下押しリング部Ａ２が後方からの推進力を受け、前記凹部２１によりガスボンベの上部Ａ４が阻害されて制限されると、圧縮弾性部材３０が極限まで短縮され、出力管Ａ１から前記内容物Ａ３が噴射される。
【００１７】
また、前記刺激性ガスボンベＡの噴射経路をクリアーにするため、護身スプレー機能が未使用の場合、前記蓋部２０の前記収容室１１１に背向する一面には、前記貫通孔２１１に嵌合される栓２２を更に備えるが、しかしながら、護身スプレー機能の使用前には、これが取り除かれる必要がある。
【００１８】
次は、本考案の実施形態に係るインターロック式伸縮ロッド護身用スプレー装置１ａ（図５、図６及び図７参照）は、前述の二段式の棒状の実施形態に対応する第一管体１０ａ、前記先端部１１ａ、蓋部２０ａ、第二管体４０ａ、ロッド本体部４１ａ、被覆構造４１２１ａ等の部材以外に、雨傘型護身用スプレー装置となる雨傘キット５０ａを更に備え、前記雨傘キット５０ａは、中棒５０１ａと、石突５０２ａと、手元５０３ａと、上ロクロ５１ａ（Ｎｏｔｃｈ）と、親骨５２ａ（Ｆｅｒｒｕｌｅ）と、傘布５３ａ（Ｃｌｏｔｈ）と、複数のティップ５４ａ（Ｔｉｐｓ）と、下ロクロ５５ａ（Ｒｕｎｎｅｒ）と、前記下ロクロ５５ａに係合されるか係合が解除される延長形下玉留５６（Ｌｏｗｅｒ  Ｓｐｒｉｎｇ）とを含む。前記第一管体１０ａ及び前記第二管体４０ａで構成される棒体により前記雨傘キット５０ａの中棒５０１ａが形成され、前記蓋部２０ａにより前記雨傘キット５０ａの石突５０２ａが形成され、前記被覆構造４１２１ａにより前記雨傘キット５０ａの手元５０３ａが形成される。前記上ロクロ５１ａが前記第一管体１０ａの前記先端部１１ａに覆設され、前記延長形下玉留５６が前記第二管体４０ａの前記下管４１２ａに設置され、前記下ロクロ５５ａが前記上ロクロ５１ａと前記延長形下玉留５６との間に設置されると共に前記第一管体１０ａ及び前記第二管体４０ａの下管４１２ａ（即ち、中棒５０１ａ）の外囲の表面で軸方向に滑動される。前記上ロクロ５１ａと前記下ロクロ５５ａとの間には前記親骨５２ａが連結され、前記傘布５３ａ及びこれら前記ティップ５４ａは前記親骨５２ａに設置され、前記下ロクロ５５ａが前記上ロクロ５１ａの傍まで移動されると傘布５３ａが開かれ、前記下ロクロ５５ａが前記延長形下玉留５６まで移動されると傘布５３ａが折り畳まれる。前記延長形下玉留５６が前記下ロクロ５５ａに係合される方式によりロッド本体部４１ａの外囲に対応させる前記下ロクロ５５ａに前記延長形下玉留５６に係合される複数のバックル穴５５１ａが周設される。これにより、毎回前記下管４１２ａが伸縮ロッドコンプレッションナット４１３により前記第一管体１０ａをロックさせ、前記第一管体１０ａとは異なる角度まで回転を行うと、回転方向に連動される前記延長形下玉留５６が前記下ロクロ５５ａに対応させる複数のバックル穴５５１ａの内の一つに係合される。また、図６に示すように、前記延長形下玉留５６及び前記下ロクロ５５ａが係合される際に第一管体１０ａ及び第二管体４０ａのロックを解除させて第二管体４０ａを前に向けて押動させると、前記延長形下玉留５６の下押しボタン５６１から前記延長形下玉留５６のフック部５６２までの長さが延長され、前記延長形下玉留５６の下押しボタン５６１とフック部５６２との間の距離が刺激性ガスボンベＡの内容物Ａ３が噴射されて前記第二管体４０ａにより前記第一管体１０ａが押動される押動距離に等しくなるか、それよりも長くなり、使用者により前記下押しボタン５６１が押された後、下管４１２ａが回転を行ってロックが解除され、且つ前に向けて押動することで噴射を行う。
【００１９】
本考案の実施形態に係るインターロック式伸縮ロッド護身用スプレー装置１ｂ（図８参照）は、前述の二段式棒状の実施形態に対応する第一管体１０ｂ、前記先端部１１ｂ、蓋部２０ｂ、圧縮弾性部材３０ｂ、第二管体４０ｂ、ロッド本体部４１ｂ、被覆構造４１２１ｂ等の部材以外に、雨傘型護身用スプレー装置となる雨傘キット５０ｂを更に備える。前記雨傘キット５０ｂは、中棒５０１ｂと、石突５０２ｂと、手元５０３ｂと、上ロクロ５１ｂと、親骨５２ｂと、傘布５３ｂと、複数のティップ５４ｂと、下ロクロ５５ｂと、前記下ロクロ５５ｂに係合されるか係合が解除される上玉留５７（Ｕｐｐｅｒ  Ｓｐｒｉｎｇ）とを含む。前記第一管体１０ｂ及び前記第二管体４０ｂで構成される棒体が前後逆さ（即ち、第二棒体の下管が前になり、第一棒体が後ろになる）になった後に前記雨傘キット５０ｂの中棒５０１ｂが形成され、前記被覆構造４１２１ｂにより前記雨傘キット５０ｂの石突５０２ｂが形成され、前記第一管体１０ｂの前記先端部１１ｂにより前記雨傘キット５０ｂの手元５０３ｂが形成される。前記上ロクロ５１ｂが前記第二管体４０ｂの前記被覆構造４１２１ｂの近隣に設置され、前記下ロクロ５５ｂが前記第一管体１０ｂの外囲に設置されると共に前記第二管体４０ｂの前記下管４１２ｂの外囲（中棒５０１ｂ）まで滑動される。但し、第二管体４０ｂの上段に設置される上玉留５７の管体の直径が前記第二管体４０ｂの下段の管径より大きくなければ（但し、前記第二管体４０ｂの上段の大きい管径の長さは前記第一管体１０ｂとの間で刺激性ガスボンベＡを押して内容物Ａ３を噴出させるのに必要な本来の管径の長さが保留される必要がある）、前記下ロクロ５５ｂと相互に組み合わせられない。また、前記上玉留５７が前記第二管体４０ｂの上段の大きい管径に設置され、前記上ロクロ５１ｂと前記下ロクロ５５ｂとの間には前記親骨５２ｂが連結され、前記傘布５３ｂ及びこれら前記ティップ５４ｂが前記親骨５２ｂに設置される。前記下ロクロ５５ｂが前記上玉留５７まで滑動されると、前記上玉留５７が前記下ロクロ５５ｂに周設される複数のバックル穴５５１ｂに係合されることで傘布５３ｂが開かれ、前記下ロクロ５５ｂが下に前記第一管体１０ｂまで移動されると傘布５３ｂが折り畳まれる。この形態では前記第一管体１０ｂと前記第二管体４０ｂとの間のロックが解除された後、前記第一管体１０ｂ及び下管４１２ｂがそれぞれ把持されて相互に押し合い、手元５０３ｂの端面（即ち、前記第一管体１０ｂの前記蓋部２０ｂ）により刺激性ガスボンベＡの内容物Ａ３が噴射される（同様に、防塵、防水用の栓２２ｂも先に抜かれる必要がある）。
【００２０】
本考案の実施形態に係るインターロック式伸縮ロッド護身用スプレー装置１ｃ（図９及び図１０参照）は、前述の二段式棒状の実施形態に対応する第一管体１０ｃ、前記先端部１１ｃ、蓋部２０ｃ、圧縮弾性部材３０ｃ、第二管体４０ｃ、ロッド本体部４１ｃ、被覆構造４１２１ｃ等の部材以外に、雨傘型護身用スプレー装置となる雨傘キット５０ｃを更に備える。前記雨傘キット５０ｃは、中棒５０１ｃと、石突５０２ｃと、手元５０３ｃと、上ロクロ５１ｃと、親骨５２ｃと、傘布５３ｃと、複数のティップ５４ｃと、下ロクロ５５ｃと、前記下ロクロ５５ｃにロックされるかロックが解除される下部ランナーロック構成５８と、を含む。前記第一管体１０ｃ及び前記第二管体４０ｃで構成される棒体により前記雨傘キット５０ｃの中棒５０１ｃが形成され、前記蓋部２０ｃにより前記雨傘キット５０ｃの石突５０２ｃが形成され、前記被覆構造４１２１ｃにより前記雨傘キット５０ｃの手元５０３ｃが形成され、前記上ロクロ５１ｃが前記第一管体１０ｃの前記先端部１１ｃに設置され、前記下ロクロ５５ｃが前記上ロクロ５１ｃの前記被覆構造４１２１ｃに対向する一側の前記第一管体１０ｃ及び前記下管４１２ｃの外囲に設置されると共に前記第一管体１０ｃ及び前記第二管体４０ｃの前記下管４１２ｃの外囲の表面で軸方向に滑動され、前記下部ランナーロック構成５８は前記下ロクロ５５ｃに包接されると共に自由回転を行う螺旋式ロック部材５８１（且つ、前記螺旋式ロック部材５８１の内面には雌ねじ５８１１が設置され）、及び前記第一管体１０ｃの表面に設置されると共に前記螺旋式ロック部材５８１の雌ねじ５８１１に対応させる雄ねじ５８２を備える。前記上ロクロ５１ｃと前記下ロクロ５５ｃとの間には前記親骨５２ｃが連結され、前記傘布５３ｃ及びこれら前記ティップ５４ｃは前記親骨５２ｃに設置され、前記下ロクロ５５ｃが前記第一管体１０ｃの表面まで移動されて前記雄ねじ５８２にロックされると傘布５３ｃが開かれ、前記下ロクロ５５ｃが前記雄ねじ５８２の前記被覆構造４１２１ｃに対向する一側まで移動されると傘布５３ｃが折り畳まれる。
【００２１】
本考案の各実施形態に記述した傘形護身用スプレー装置（図１１参照）において、第一管体(１０ａ、１０ｂ、１０ｃ)及び第二管体(４０ａ、４０ｂ、４０ｃ)は相互にロックされると、一般的な傘具と同様に雨や日光を遮る機能を具備する（図７及び図１０参照）。但し、第一管体(１０ａ、１０ｂ、１０ｃ)及び第二管体(４０ａ、４０ｂ、４０ｃ)のロックが解除されると、石突(５０２ａ、５０２ｃ)或いは手元(５０３ｂ)の端面から刺激性ガスボンベＡの内容物Ａ３が即噴射される。
【００２２】
本考案の実施形態に係るインターロック式伸縮ロッド護身用スプレー装置１ｄ（図１２及び図１３参照）は、前述の二段式棒状の実施形態に対応する第一管体１０ｄ、蓋部２０ｄ、貫通孔２１１ｄ、栓２２ｄ、第二管体４０ｄ、下管４１２ｄ、被覆構造４１２１ｄ等の部材以外、杖キット６０を更に備える。前記杖キット６０は継手被覆カバー６１及び杖のハンドル６２を含み、前記継手被覆カバー６１は前記第一管体１０ｄ及び前記第二管体４０ｄの下管４１２ｄの連結領域の表面を被覆させ、前記第一管体１０ｄ及び前記下管４１２ｄの連結箇所の剛軟度を補強させて、前記第一管体１０ｄ及び前記下管４１２ｄで構成される棒体の杖としての耐荷重能力を強化させる。前記下管４１２ｄの前記被覆構造４１２１ｄにより前記杖のハンドル６２が形成されて使用者に把持される。
【００２３】
さらに、実施形態において、前記下管４１２ｄの前記継手被覆カバー６１の端面に対応させる箇所には少なくとも１つのボルト孔４１２３或いは軸方向に沿って間隔をあけて設置される複数のボルト孔４１２３が設けられ、且つ位置決め用ボルトキット６３を更に備え、前記位置決め用ボルトキット６３は抜脱されて径方向に前記下管４１２ｄの管体のボルト孔４１２３に挿設されるボルト６３１を含み、且つ前記継手被覆カバー６１の端面に係止され、下管４１２ｄが使用者により下に押されて第一管体１０ｄの内径に没入されるのを回避させ、前記第一管体１０ｄ及び前記下管４１２ｄで構成される棒体の剛軟度を更に高める。前記ボルト６３１の末端部には径方向に突出されるばねボール６３２、及び前記ボルト６３１の先端部の枢孔６３１１に枢接されて自由回転を行うＵ形活動クランプリング６３３を有する（図１２、図１３及び図１４参照）。前記Ｕ形活動クランプリング６３３は前記継手被覆カバー６１の外径を挟持させ、前記ばねボール６３２或いは前記Ｕ形活動クランプリング６３３、もしくは上述の二者が組み合わせられて、前記ボルト６３１が事故的に前記下管４１２ｄから脱離するのを防止させ、杖として使用される際の安全性を高める。前記Ｕ形活動クランプリング６３３が前記継手被覆カバー６１の外径の挟持を解除させ、抜出されたボルト６３１を把持させる。当然ながら、前記Ｕ形活動クランプリング６３３の末端部分は少し曲がって継手被覆カバー６１から浮くように設計され、迅速にボルト６３１を抜出できるようになっている。同様に、図１５に示すように、第一管体１０ｄ及び第二管体４０ｄのロックが解除されると、前記蓋部２０ｄの端面の貫通孔２１１ｄから刺激性ガスボンベＡの内容物Ａ３が噴射される（先に栓２２ｄを除去する）。
【００２４】
本考案の実施形態に係るインターロック式伸縮ロッド護身用スプレー装置１ｅ（図１６、図１７及び図１８参照）は、前述の二段式棒状による実施形態に対応する第一管体１０ｅ、蓋部２０ｅ、貫通孔２１１ｅ、第二管体４０ｅ、下管４１２ｅ、被覆構造４１２１ｅ等の部材以外に、電極棒キット７０を更に備える。前記電極棒キット７０は、前記被覆構造４１２１ｅに内設される電池ケース７１と、前記電池ケース７１に設置される電池７２と、前記電池７２に電気的に接続される昇圧回路７３と、前記被覆構造４１２１ｅの末端の端面に設置され、且つ複数の電極板７４１が被覆構造４１２１ｅの表面に設置されると共に前記昇圧回路７３に電気的に接続される一対の電極針７４と、前記被覆構造４１２１ｅの端面に冠着されて前記一対の電極針７４及び電極板７４１を遮蔽させる保護用カバー７５と、前記下管４１２ｅの管体の表面以下の凹溝４１２２に設置され、第一管体１０ｅと第二管体４０ｅとの間が相互に圧迫されて経路上に障害が発生するのを回避させ、且つ前記電池７２に電気的に接続され、導通されることで前記電極針７４が電撃を発生させる回路スイッチ７６とを含む。
【００２５】
さらに、図１７及び図１８に示すように、使用者が上述の前記回路スイッチ７６に誤って接触し、前記電極針７４及び電極板７４１が電撃を発生させるのを回避させるため、前記回路スイッチ７６はスライド式ロック構成７６２を備え、前記回路スイッチ７６は前記スライド式ロック構成７６２がロックを解除された状態で、下押し式ボタン７６１により電源通路が開かれる。実質上、前記回路スイッチ７６の前記凹溝４１２２は前記下管４１２ｅの中心軸方向に垂直になる溝孔であり、前記回路スイッチ７６は下押し式ボタン７６１及びスライド式ロック構成７６２を備え、前記スライド式ロック構成７６２は前記凹溝４１２２に沿って移動され、その一端はフォーク部７６２１を有し、前記スライド式ロック構成７６２により前記フォーク部７６２１が前記下押し式ボタン７６１の下押し経路（回路スイッチ７６の通電を制限させる）に当接されるか、或いは前記下押し経路が取り除かれる（回路スイッチ７６の通電制限を解除させる）。
【００２６】
なお、図１９及び図２０に示すように、上述のスタンガン式の護身用スプレー装置１ｅの実際の使用例では、先に栓２２ｅが抜かれた後、第一管体１０ｅ及び第二管体４０ｅのロックが解除され、且つ護身スプレー機能により、前記蓋部２０ｅの端面の貫通孔２１１ｅから刺激性ガスボンベＡの内容物Ａ３が噴射されて、暴漢に対する護身用のスプレーとなる（図１９参照）。その後、第一管体１０ｅ及び第二管体４０ｅがロックされ、且つ前記回路スイッチ７６が入れられて、電極針７４及び電極板７４１により暴漢に対して電撃が加えられる（図２０参照）。
【００２７】
ちなみに、本考案は上述の護身用スプレー装置が棍棒、雨傘、杖、懐中電灯或いは電極棒に結合される機能のほか、更に上管が短縮することで体積が減り、携帯により便利になる。当然ながら、図２１に示すように、本考案はゴルフクラブ等に偽装できる護身用スプレー装置１ｆであってもよく、ゴルフクラブのグリップ（第一管体１０ｆ）により、クラブヘッド（作為第二管体４０ｆ）が押されることで前記ゴルフクラブのグリップから催涙スプレーが噴射される。
【００２８】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２９】
Ａ    刺激性ガスボンベ、
Ａ１  出力管、
Ａ２  下押しリング部、
Ａ３  内容物、
Ａ４  ガスボンベの上部、
Ａ５  ガスボンベの底部、
１、１ａ、１ｂ、１ｃ、１ｄ、１ｅ、１ｆ  護身用スプレー装置、
１０、１０ａ、１０ｂ、１０ｃ、１０ｄ、１０ｅ、１０ｆ  第一管体、
１１、１１ａ、１１ｂ、１１ｃ  先端部、
１１１  収容室、
１１２  開口部、
１２  末端部、
１２１  内壁面、
１２２  内縁部、
１２３  小径孔、
２０、２０ａ、２０ｂ、２０ｃ、２０ｄ、２０ｅ  蓋部、
２１  凹部、
２１１、２１１ｄ、２１１ｅ  貫通孔、
２２、２２ａ、２２ｂ、２２ｃ、２２ｄ、２２ｅ、２２ｆ  栓、
３０、３０ａ、３０ｂ、３０ｃ  圧縮弾性部材、
４０、４０ａ、４０ｂ、４０ｃ、４０ｄ、４０ｅ、４０ｆ  第二管体、
４１、４１ａ、４１ｂ、４１ｃ  ロッド本体部、
４１１  上管、
４１１１  プッシュ構成、
４１１１１  凸型部材、
４１１１１０  プッシュロッド、
４１１１２  圧縮ばね、
４１１１３  固着部材、
４１１１４  ねじ、
４１１２  端面、
４１１２１  孔部、
４１２、４１２ａ、４１２ｂ、４１２ｃ、４１２ｄ、４１２ｅ  下管、
４１２１、４１２１ａ、４１２１ｂ、４１２１ｃ、４１２１ｄ、４１２１ｅ  被覆構造、
４１２２  凹溝、
４１２３  ボルト孔、
４１３  伸縮ロッドコンプレッションナット、
４１３１  上連接部、
４１３２  下連接部、
４１３２１  駆動レバー、
４１３３  偏心軸、
４１３３１  広い空間、
４１３３２  狭い空間、
４１３４  コンプレッションリング、
４１３４１  切欠き部、
４１３４２  ロックストッパー構造、
４１３４３  偏心孔、
４１３４４  厚壁部、
４１３４５  薄壁部、
４２  位置決め用ボルトキット、
４２１  ボルト、
５０ａ、５０ｂ、５０ｃ  雨傘キット、
５０１ａ、  ５０１ｂ、  ５０１ｃ  中棒、
５０２ａ、５０２ｂ、５０２ｃ  石突、
５０３ａ、５０３ｂ、５０３ｃ  手元、
５１ａ、５１ｂ、５１ｃ  上ロクロ、
５２ａ、５２ｂ、５２ｃ  親骨、
５３ａ、５３ｂ、５３ｃ  傘布、
５４ａ、５４ｂ、５４ｃ  ティップ、
５５ａ、５５ｂ、５５ｃ  下ロクロ、
５５１ａ、５５１ｂ  バックル穴、
５６  延長形下玉留、
５６１  下押しボタン、
５６２  フック部、
５７  上玉留、
５８  下部ランナーロック構成、
５８１  螺旋式ロック部材、
５８１１  雌ねじ、
５８２  雄ねじ、
６０  杖キット、
６１  継手被覆カバー、
６２  杖のハンドル、
６３  位置決め用ボルトキット、
６３１  ボルト、
６３１１  枢孔、
６３２  ばねボール、
６３３  Ｕ形活動クランプリング、
７０  電極棒キット、
７１  電池ケース、
７２  電池、
７３  昇圧回路、
７４  電極針、
７４１  電極板、
７５  保護用カバー、
７６  回路スイッチ、
７６１  下押し式ボタン、
７６２  スライド式ロック構成、
７６２１  フォーク部。
【図１】
0003203573.tif 000003
【図２】
0003203573.tif 000004
【図３】
0003203573.tif 000005
【図４】
0003203573.tif 000006
【図５】
0003203573.tif 000007
【図６】
0003203573.tif 000008
【図７】
0003203573.tif 000009
【図８】
0003203573.tif 000010
【図９】
0003203573.tif 000011
【図１０】
0003203573.tif 000012
【図１１】
0003203573.tif 000013
【図１２】
0003203573.tif 000014
【図１３】
0003203573.tif 000015
【図１４】
0003203573.tif 000016
【図１５】
0003203573.tif 000017
【図１６】
0003203573.tif 000018
【図１７】
0003203573.tif 000019
【図１８】
0003203573.tif 000020
【図１９】
0003203573.tif 000021
【図２０】
0003203573.tif 000022
【図２１】
0003203573.tif 000023